【手続補正書】
【提出日】平成29年7月24日(2017.7.24)
【手続補正１】
【補正対象書類名】特許請求の範囲
【補正対象項目名】全文
【補正方法】変更
【補正の内容】
【特許請求の範囲】
【請求項１】
車両のインフォテインメントシステムと通信している第１のモバイルデバイスによって安全条件を決定することと、
前記安全条件を決定したことに応答して、前記車両の運転者に関連付けられている前記第１のモバイルデバイスの機能を前記第１のモバイルデバイスによって無効にすることと、
前記インフォテインメントシステムに関連付けられている第１の命令を、第２のモバイルデバイスから前記第１のモバイルデバイスによって受信することと、
前記第１の命令に基づいて、前記第１のモバイルデバイスによって前記インフォテインメントシステムを制御することとを備える、方法。
【請求項２】
前記第１の命令は、前記第２のモバイルデバイスに関連付けられている特定のクレデンシャルを備える、請求項１に記載の方法。
【請求項３】
前記第１の命令は、
前記第２のモバイルデバイスに関連付けられている特定のクレデンシャルと、
ＵＲＬ、アドレス、位置、アプリケーション開始、ポイント・オブ・インタレスト、およびユーザインターフェイスコマンドからなるグループから選択される少なくとも１つとを備える、請求項１に記載の方法。
【請求項４】
前記第１の命令は、前記第２のモバイルデバイスに関連付けられている特定のクレデンシャルを備え、前記方法はさらに、
前記第１のモバイルデバイスによって、前記特定のクレデンシャルを権限があるデバイスに関連付けられているクレデンシャルと比較することと、
前記特定のクレデンシャルと前記権限があるデバイスに関連付けられている前記クレデンシャルとの比較に基づいて、前記第２のモバイルデバイスが前記第１のモバイルデバイスにアクセスする権限があることを前記第１のモバイルデバイスによって判断することとを備える、請求項１に記載の方法。
【請求項５】
前記第１の命令は、前記第２のモバイルデバイスに関連付けられている特定のクレデンシャルを備え、前記方法はさらに、
権限があるデバイスに関連付けられているクレデンシャルを前記第１のモバイルデバイスによって受信することと、
前記第１のモバイルデバイスによって、前記特定のクレデンシャルを前記権限があるデバイスに関連付けられているクレデンシャルと比較することと、
前記特定のクレデンシャルと前記権限があるデバイスに関連付けられている前記クレデンシャルとの比較に基づいて、前記第２のモバイルデバイスが前記第１のモバイルデバイスにアクセスする権限があることを前記第１のモバイルデバイスによって判断することとを備える、請求項１に記載の方法。
【請求項６】
前記第１の命令を受信する前に、前記第２のモバイルデバイスに関連付けられている特定のクレデンシャルを受信することと、
前記第１のモバイルデバイスによって、前記特定のクレデンシャルを権限があるデバイスに関連付けられているクレデンシャルと比較することと、
前記特定のクレデンシャルと前記権限があるデバイスに関連付けられている前記クレデンシャルとの比較に基づいて、前記第２のモバイルデバイスが前記第１のモバイルデバイスにアクセスする権限があることを前記第１のモバイルデバイスによって判断することとを備える、請求項１に記載の方法。
【請求項７】
前記インフォテインメントシステムを制御することは、前記第１の命令に基づいて前記インフォテインメントシステムのディスプレイに視覚コンテンツを提示させることを備える、請求項１に記載の方法。
【請求項８】
前記インフォテインメントシステムを制御することは、前記第１の命令に基づいて前記インフォテインメントシステムと通信しているスピーカに可聴コンテンツを発せさせることを備える、請求項１に記載の方法。
【請求項９】
前記安全条件は、前記第１のモバイルデバイスが前記車両に接続されている、前記車両が予め設定された速度よりも速く動いている、前記第１のモバイルデバイスが前記インフォテインメントシステムのディスプレイを駆動している、前記車両の駐車ブレーキが外れている、および前記車両のギアがパーキングに入っていない、からなるグループから選択される少なくとも１つを備える、請求項１に記載の方法。
【請求項１０】
前記第１のモバイルデバイス上で実行可能なアプリケーションの制御を前記第２のモバイルデバイスに付与する前記第１のモバイルデバイス上の共有モードを、前記第１のモバイルデバイスによって起動することをさらに備える、請求項１に記載の方法。
【請求項１１】
プロセッサによって実行されると前記プロセッサに動作を行わせる命令が格納されている非一時的なコンピュータ読取可能媒体であって、前記動作は、
車両のインフォテインメントシステムと通信している第１のモバイルデバイスによって安全条件を決定することと、
前記安全条件を決定したことに応答して、前記車両の運転者に関連付けられている前記第１のモバイルデバイスの機能を前記第１のモバイルデバイスによって無効にすることと、
前記インフォテインメントシステムに関連付けられている第１の命令を、第２のモバイルデバイスから前記第１のモバイルデバイスによって受信することと、
前記第１の命令に基づいて、前記第１のモバイルデバイスによって前記インフォテインメントシステムを制御することとを備える、非一時的なコンピュータ読取可能媒体。
【請求項１２】
前記第１の命令は、前記第２のモバイルデバイスに関連付けられている特定のクレデンシャルを備える、請求項１１に記載の非一時的なコンピュータ読取可能媒体。
【請求項１３】
前記第１の命令は、
前記第２のモバイルデバイスに関連付けられている特定のクレデンシャルと、
ＵＲＬ、アドレス、位置、アプリケーション開始、ポイント・オブ・インタレスト、およびユーザインターフェイスコマンドからなるグループから選択される少なくとも１つとを備える、請求項１１に記載の非一時的なコンピュータ読取可能媒体。
【請求項１４】
前記第１の命令は、前記第２のモバイルデバイスに関連付けられている特定のクレデンシャルを備え、前記動作はさらに、
前記第１のモバイルデバイスによって、前記特定のクレデンシャルを権限があるデバイスに関連付けられているクレデンシャルと比較することと、
前記特定のクレデンシャルと前記権限があるデバイスに関連付けられている前記クレデンシャルとの比較に基づいて、前記第２のモバイルデバイスが前記第１のモバイルデバイスにアクセスする権限があることを前記第１のモバイルデバイスによって判断することとを備える、請求項１１に記載の非一時的なコンピュータ読取可能媒体。
【請求項１５】
前記第１の命令は、前記第２のモバイルデバイスに関連付けられている特定のクレデンシャルを備え、前記動作はさらに、
権限があるデバイスに関連付けられているクレデンシャルを前記第１のモバイルデバイスによって受信することと、
前記第１のモバイルデバイスによって、前記特定のクレデンシャルを前記権限があるデバイスに関連付けられている前記クレデンシャルと比較することと、
前記特定のクレデンシャルと前記権限があるデバイスに関連付けられている前記クレデンシャルとの比較に基づいて、前記第２のモバイルデバイスが前記第１のモバイルデバイスにアクセスする権限があることを前記第１のモバイルデバイスによって判断することとを備える、請求項１１に記載の非一時的なコンピュータ読取可能媒体。
【請求項１６】
前記動作はさらに、
前記第１の命令を受信する前に、前記第２のモバイルデバイスに関連付けられている特定のクレデンシャルを受信することと、
前記第１のモバイルデバイスによって、前記特定のクレデンシャルを権限があるデバイスに関連付けられているクレデンシャルと比較することと、
前記特定のクレデンシャルと前記権限があるデバイスに関連付けられている前記クレデンシャルとの比較に基づいて、前記第２のモバイルデバイスが前記第１のモバイルデバイスにアクセスする権限があることを前記第１のモバイルデバイスによって判断することとを備える、請求項１１に記載の非一時的なコンピュータ読取可能媒体。
【請求項１７】
前記インフォテインメントシステムを制御することは、前記第１の命令に基づいて前記インフォテインメントシステムのディスプレイに視覚コンテンツを提示させることを備える、請求項１１に記載の非一時的なコンピュータ読取可能媒体。
【請求項１８】
前記インフォテインメントシステムを制御することは、前記第１の命令に基づいて前記インフォテインメントシステムと通信しているスピーカに可聴コンテンツを発せさせることを備える、請求項１１に記載の非一時的なコンピュータ読取可能媒体。
【請求項１９】
前記安全条件は、前記第１のモバイルデバイスが前記車両に接続されている、前記車両が予め設定された速度よりも速く動いている、前記第１のモバイルデバイスが前記インフォテインメントシステムのディスプレイを駆動している、前記車両の駐車ブレーキが外れている、および前記車両のギアがパーキングに入っていない、からなるグループから選択される少なくとも１つを備える、請求項１１に記載の非一時的なコンピュータ読取可能媒体。
【請求項２０】
プロセッサと、
前記プロセッサと通信しており、前記プロセッサによって実行されると前記プロセッサに動作を行わせる命令が格納されている非一時的なコンピュータ読取可能媒体とを備えるシステムであって、前記動作は、
車両のインフォテインメントシステムと通信している第１のモバイルデバイスによって安全条件を決定することと、
前記安全条件を決定したことに応答して、前記車両の運転者に関連付けられている前記第１のモバイルデバイスの機能を前記第１のモバイルデバイスによって無効にすることと、
前記インフォテインメントシステムに関連付けられている第１の命令を、第２のモバイルデバイスから前記第１のモバイルデバイスによって受信することと、
前記第１の命令に基づいて、前記第１のモバイルデバイスによって前記インフォテインメントシステムを制御することとを備える、システム。